(57)【要約】携帯電話のような移動通信装置が、該装置の外部の印刷媒体上に印刷するための内部プリンターを含んでいる。速度センサーが、ユーザーが前記印刷媒体に対して前記装置を動かす速度を測定し、それによりインクの吐出速度を制御する。前記装置は、該装置のディスプレイ画面上に表示された画像を印刷することができ、または無線通信ネットワークを通して受け取った画像データを印刷することができる。
2005517553.tif 000002
【特許請求の範囲】
【請求項１】
ケーシング、表示装置、前記ケーシング内に収容された無線電気通信用回路、および前記ケーシング内に収容されたプリンターを備える移動通信装置であって、
前記プリンターが印刷媒体に対して動かされるにつれて前記印刷媒体上への印刷を実行するようにされ、複数のインク吐出ノズルを含む印刷ヘッド装置と、
インクを貯蔵し、該インクを前記印刷ヘッド装置に供給するようにされたインク供給品と、
前記印刷ヘッド装置が前記印刷媒体に対して動かされる速度を測定し、速度データを生成するようにされた速度センサーと、
（ａ）画像ソースから画像データを受け取るように、
（ｂ）前記画像データを複数の液滴吐出制御信号へと変換するように、
（ｃ）前記速度センサーから前記速度データを受け取るように、
（ｄ）前記印刷ヘッド装置の前記インク吐出ノズルを、前記速度データを用いて定められた速度で前記液滴吐出制御信号に従って動作させ、それにより前記印刷媒体上への前記画像データの印刷を実行するように
された印刷制御装置と、を備える移動通信装置。
【請求項２】
前記速度センサーが、
前記印刷媒体と接触し、前記装置が前記印刷媒体に対して動かされるにつれて回転するようにされた光学エンコーダー・ホイールであり、その上に円周方向に間隔を置いて配置された一連のマークを有する光学エンコーダー・ホイールと、
光学センサーであり、
（ａ）前記光学エンコーダー・ホイールの回転中に前記マークが当該光学センサーを通過するときに前記マークを検出するように、かつ、
（ｂ）前記検出されたマークから前記速度データを生成するように
された前記光学センサーと、を備える、請求項１に記載の装置。
【請求項３】
前記インク供給品が、前記プリンターから着脱可能である、請求項１に記載の装置。
【請求項４】
前記キャップ装置が前記インク吐出ノズルからのインクの吐出を実質的に遮るキャップ位置と、前記キャップ装置が前記インク吐出ノズルからのインクの吐出を実質的に遮らない非キャップ位置との間で移動可能であるキャップ装置をさらに備える、請求項１に記載の装置。
【請求項５】
ユーザーが前記印刷媒体に対して前記印刷ヘッド装置を動かすときに前記ユーザーが操作できるように前記装置上に配置されたキャップ作動装置をさらに備える、請求項４に記載の装置。
【請求項６】
前記キャップ装置を前記キャップ位置へ向けてバイアスをかけておくようにされたバイアス部材をさらに備える、請求項４に記載の装置。
【請求項７】
前記印刷制御装置が、前記無線電気通信用回路によって前記画像ソースから前記画像データを受け取る、請求項１に記載の装置。
【請求項８】
前記画像データが、無線通信ネットワークから前記無線電気通信用回路で受け取られる、請求項７に記載の装置。
【請求項９】
前記画像データを格納するようにされたメモリーをさらに備える、請求項１に記載の装置。
【請求項１０】
印刷するべき前記画像を、前記装置の表示装置上に表示する、請求項１に記載の装置。
【請求項１１】
前記プリンターが、交換可能インク・カートリッジをさらに備える、請求項１に記載の装置。
【請求項１２】
前記インク供給品にそこを通して補充することができる１つ以上のインク注入口をさらに備える、請求項１に記載の装置。
【請求項１３】
レンズおよびＣＣＤアレイを含むデジタルカメラをさらに備え、前記ＣＣＤアレイにより取り込まれた画像データを前記通信装置の前記表示装置上に表示する、請求項１に記載の装置。
【請求項１４】
前記プリンターが、前記デジタルカメラにより取り込まれた画像を印刷するようにされている、請求項１３に記載の装置。
【発明の詳細な説明】
【発明の分野】
【０００１】
本発明は、移動通信装置、特に携帯電話に関し、また現在の携帯電話にさらなる機能を与える周辺装置に関する。具体的には、本発明は、内部カラープリンターを有する携帯電話に関する。
【背景】
【０００２】
近年、商業的に成功するモデルの携帯電話は、最もコンパクトなものであった。この小さいサイズに対する要望によって、他の装置、特にプリンターを携帯電話の筐体内に内蔵することが妨げられていた。
【０００３】
従来技術のプリンターは、印刷媒体の供給品をプリンター内に内蔵しており、印刷媒体送り機構を用いて、印刷媒体を、印刷ヘッドを通過させて移送し、印刷媒体上への印刷を実行する。印刷動作中に、印刷媒体の速度と印刷ヘッドの印刷速度とを同期させて、印刷される画像の忠実な再現を確実にすることは不可欠である。従来、印刷媒体と印刷ヘッドとの同期をとることは、比較的容易に達成されていたが、これは、印刷媒体の供給品を含む印刷媒体送り機構が、プリンターと一体の部分を構成しているからである。そのため、印刷媒体の速度は、印刷ヘッドおよび印刷制御装置が動作する速度と同様に、既知で固定されており、これらの機構の間の同期は、歯車やステップ・モーター等のような単純な機械的機構を用いて達成される。
【０００４】
しかし、そのような機構のために、とりわけ印刷媒体の供給品をプリンター内に収容する必要があるために、これらのプリンターは他の場合に必要であるものよりも大きくかつ重くなっていた。上記の同時係属出願に記載されたタイプの一体構造の印刷幅ドロップオンデマンド印刷ヘッド装置（印刷ヘッドは固定されている）を用いている、よりコンパクトなプリンターにおいてさえもなお、インクの吐出と印刷媒体の動きとの間の適切な同期を確実にするために、印刷媒体駆動機構と印刷媒体の供給品とをプリンターに内蔵させる必要がある。今日に至るまで、これらの要求が、可能な最小プリンターのサイズを制限し、コンパクトな携帯電話のような装置にプリンターが内蔵される可能性をなくしていた。
【同時係属出願】
【０００５】
本発明に関連するさまざまな方法、システムおよび装置が、本発明の出願人または譲受人によって本出願と同時に出願された下記の同時係属出願に開示されている。
AP39          AP43          AP44          AP46          AP47          AP48   
AP49          AP50          AP51          AP52          AP53          AP55   
AP58          AP60          AP61          AP62          AP63          AP64   
AP65          AP66          AP67          AP68          AP69          AP70   
AP71          AP77          AP78          AP79
これらの同時係属出願の開示は、相互参照により本明細書に援用する。それぞれの出願は、暫定的にそのファイル・リファレンスで特定される。これは、入手可能となったときに、対応するＰＣＴ出願番号と取り替えられる。
【０００６】
［関連特許出願および特許］
US6,227,652          US6,213,588          US6,213,589          US6,231,163
US6,247,795          US6,394,581          US6,244,691          US6,257,704
US6,416,168          US6,220,694          US6,257,705          US6,247,794
US6,234,610          US6,247,793          US6,264,306          US6,241,342
US6,247,792          US6,264,307          US6,254,220          US6,234,611
US6,302,528          US6,283,582          US6,239,821          US6,338,547
US6,247,796          US09/113,122         US6,390,603          US6,362,843
US6,293,653          US6,312,107          US6,227,653          US6,234,609
US6,238,040          US6,188,415          US6,227,654          US6,209,989
US6,247,791          US6,336,710          US6,217,153          US6,416,167
US6,243,113          US6,283,581          US6,247,790          US6,260,953
US6,267,469          US6,273,544          US6,309,048          US6,420,196
US6,443,558          US09/422,892         US6,378,989          US09/425,420
US09/422,893         US09/609,140         US6,409,323          US6,281,912
US09/575,113         US6,318,920          US6,488,422          US09/693,644
US6,457,810          US6,485,135          US09/112,763         US6,331,946
US6,246,970          US6,442,525          US09/505,951         US09/505,147
US09/505,952         US09/575,108         US09/575,109         US09/575,110
US09/607,985         US6,398,332          US6,394,573          US09/606,999 
US6,238,044          US6,425,661          US6,390,605          US6,322,195
US09/504,221         US6,480,089          US6,460,778          US6,305,788
US6,426,014          US6,364,453          US6,457,795          US09/556,219
US09/556,218         US6,315,399          US6,338,548          US09/575,190
US6,328,431          US6,328,425          US09/575,127         US6,383,833
US6,464,332          US6,390,591          US09/575,152         US6,328,417
US6,322,194          US09/575,177         US09/575,175         US6,417,757
US09/608,780         US6,428,139          US09/607,498         US09/693,079
US09/693,135         US6,428,142          US09/692,813         US09/693,319
US09/693,311         US6,439,908          US09/693,735         PCT/AU98/00550
PCT/AU00/00516       PCT/AU00/00517       PCT/AU00/00511       PCT/AU00/00754
PCT/AU00/00755       PCT/AU00/00756       PCT/AU00/00757       PCT/AU00/00095
PCT/AU00/00172       PCT/AU00/00338       PCT/AU00/00339       PCT/AU00/00340
PCT/AU00/00341       PCT/AU00/00581       PCT/AU00/00580       PCT/AU00/00582
PCT/AU00/00587       PCT/AU00/00588       PCT/AU00/00589       PCT/AU00/00583
PCT/AU00/00593       PCT/AU00/00590       PCT/AU00/00591       PCT/AU00/00592
PCT/AU00/00584       PCT/AU00/00585       PCT/AU00/00586       PCT/AU00/00749
PCT/AU00/00750       PCT/AU00/00751       PCT/AU00/00752       PCT/AU01/01332
PCT/AU01/01318       PCT/AU00/01513       PCT/AU00/01514       PCT/AU00/01515
PCT/AU00/01516       PCT/AU00/01517       PCT/AU00/01512       PCT/AU01/00502
PCT/AU02/01120       PCT/AU00/00333       PCT/AU01/00141       PCT/AU01/00139
PCT/AU01/00140       PCT/AU00/00753       PCT/AU01/01321       PCT/AU01/01322
PCT/AU01/01323       PCT/AU00/00594       PCT/AU00/00595       PCT/AU00/00596
PCT/AU00/00597       PCT/AU00/00598       PCT/AU00/00741       PCT/AU00/00742
【発明の概要】
【０００７】
本発明の一態様によれば、ケーシング、表示装置、前記ケーシング内に収容された無線電気通信用回路、および前記ケーシング内に収容されたプリンターを備える移動通信装置であって、
前記プリンターが印刷媒体に対して動かされるにつれて前記印刷媒体上への印刷を実行するようにされ、複数のインク吐出ノズルを含む印刷ヘッド装置と、
インクを貯蔵し、該インクを前記印刷ヘッド装置に供給するようにされたインク供給品と、
前記印刷ヘッド装置が前記印刷媒体に対して動かされる速度を測定し、速度データを生成するようにされた速度センサーと、
（ａ）画像ソースから画像データを受け取るように、
（ｂ）前記画像データを複数の液滴吐出制御信号へと変換するように、
（ｃ）前記速度センサーから前記速度データを受け取るように、かつ、
（ｄ）前記印刷ヘッド装置の前記インク吐出ノズルを、前記速度データを用いて定められた速度で前記液滴吐出制御信号に従って動作させ、それにより前記印刷媒体上への前記画像データの印刷を実行するように
された印刷制御装置と、を備える移動通信装置が提供される。
【０００８】
好ましくは、前記速度センサーが、
前記印刷媒体と接触し、前記装置が前記印刷媒体に対して動かされるにつれて回転するようにされた光学エンコーダー・ホイールであり、その上に円周方向に間隔を置いて配置された一連のマークを有する光学エンコーダー・ホイールと、
光学センサーであり、
（ａ）前記光学エンコーダー・ホイールの回転中に前記マークが前記光学センサーを通過するときに前記マークを検出するように、かつ、
（ｂ）前記検出されたマークから前記速度データを生成するように
された前記光学センサーと、を備える。
【０００９】
好ましくは、前記インク供給品が、前記プリンターから着脱可能である。
【００１０】
好ましくは、前記装置が、前記キャップ装置が前記インク吐出ノズルからのインクの吐出を実質的に遮るキャップ位置と、前記キャップ装置が前記インク吐出ノズルからのインクの吐出を実質的に遮らない非キャップ位置との間で移動可能であるキャップ装置をさらに備える。
【００１１】
好ましくは、前記装置が、ユーザーが前記印刷媒体に対して前記印刷ヘッド装置を動かすときに前記ユーザーが操作できるように前記装置上に配置されたキャップ作動装置をさらに備える。
【００１２】
好ましくは、前記装置が、前記キャップ装置を前記キャップ位置へ向けてバイアスをかけておくようにされたバイアス部材をさらに備える。
【００１３】
好ましくは、前記印刷制御装置が、前記無線電気通信用回路によって前記画像ソースから前記画像データを受け取る。さらに好ましくは、前記画像データが、無線通信ネットワークから前記無線電気通信用回路で受け取られる。
【００１４】
好ましくは、前記装置が、前記画像データを格納するようにされたメモリーをさらに備える。
【００１５】
好ましくは、印刷するべき前記画像を、前記装置の表示装置上に表示する。
【００１６】
好ましくは、前記プリンターが、交換可能インク・カートリッジをさらに備える。
【００１７】
好ましくは、前記装置が、前記インク供給品にそこを通して補充することができる１つ以上のインク注入口をさらに備える。
【００１８】
好ましくは、前記装置が、レンズおよびＣＣＤアレイを含むデジタルカメラをさらに備え、前記ＣＣＤアレイにより取り込まれた画像データを前記通信装置の前記表示装置上に表示する。
【００１９】
好ましくは、前記プリンターが、前記デジタルカメラにより取り込まれた画像を印刷するようにされている。
【００２０】
本発明を、好ましい実施形態および添付の図面を参照して、ほんの一例として次に説明する。
【好ましい実施形態の説明】
【００２１】
図１を参照して、本発明による移動通信装置は、一般に１００で示す。移動通信装置１００は、内部プリンターを有する携帯電話であり、ユーザーの誘導下で（不図示）、矢印２１の方向に印刷媒体のページ２０を横切って移動して、ページ２０上に画像２２を印刷しているものとして図１に描かれている。
【００２２】
図５および図６を参照すると、携帯電話１００は、キーパッド１０１、ナビゲーションキー１０２、ディスプレイ画面１０３、音量ボタン１０４、スピーカー１０５およびマイク１０６のような標準的な装備を含んでいる。本電話はまた、充電用接点１０７、電源差込口１０８およびハンズフリー・ジャック１０９を含んでいる。プリンター・ユニット１０は、電話機ケーシングの側面の開口を通して収容される。
【００２３】
電話機１００の分解図を図７に図示する。組立図を図８から図１１に示す。これらの図面を参照すると、本電話は、上部成形品３０１、基部成形品３０２およびカバー成形品３０３を含んでいる。上部成形品３０１は、エラストマー・キーパッド３０８からキーパッドおよびナビゲーションキーを受け入れる第１の開口３０６の配列を有している。第２の開口３０９は、レンズ成形品３１０を受け入れる。
【００２４】
硬質プリント回路基板（ＰＣＢ）３１２が、上部成形品３０１および基部成形品３０２の間に堅固に保持されている。知られているように、ＰＣＢ３１２は大部分の電話回路構成要素、特にスピーカー３１３、カラーＬＣＤ表示装置３１４およびアンテナ３１５を含んでいる。当技術分野で既知のような、ＩＤコードおよび命令回路を含むＳＩＭカード３１６が、基部成形品３０２の内部開口３１９に収容され、既知の方法で、ＰＣＢ３１２と電気的に通信する。
【００２５】
基部成形品３０２は、その上面に、ＰＣＢ３１２およびアンテナ３１５を収容する凹部３２１を有している。基部成形品３０２の下側部分には、切取部が設けられ、標準的な携帯電話バッテリー３２２およびプリンター・ユニット１０を収容するが、そのさらなる詳細を以下に説明する。
【００２６】
基部成形品３０２は、充電用接点開口３２３、電源差込口開口３２４およびハンズフリー・ジャック開口３２５をさらに含んでいる。
【００２７】
カバー成形品３０３は、基部成形品３０２に着脱可能に嵌り、バッテリー３２２およびＳＩＭカード３１６へのアクセスを可能にする。
【００２８】
次にプリンター・ユニット１０の詳細を、図２から図４を参照して説明する。図２から図４には、図７に描かれたプリンターとは若干異なる形のスタンドアロンの掃引プリンターが描かれているが、当業者には、この２つのプリンターの装備の多くが一般的であり、この移動通信装置のバージョンのプリンターに対して特定の参照をして説明する必要がないことが理解されるであろう。
【００２９】
プリンター１０の分解図を図２に示す。プリンター１０は、下部成形品１１と、上部成形品１２と、着脱可能エンドキャップ１３とを含んでおり、そのそれぞれは、任意の好適なプラスチック、金属または同様の材料で形成することができるものである。
【００３０】
上部および下部の成形品はそれぞれ、成形品の各端部でその底面に形成された媒体滑り面１４を含んでいる。滑り面１４は、成形品の底面から突出しており、プリンターが印刷媒体を横切るときに、プリンターを上げておくように機能し、これにより印刷ヘッドと印刷媒体との間の摩擦が最小限となり、またプリンターと、新しく印刷されたインクとの間の接触を防止し、このインクはさもなければ印刷された画像を乱し得るものである。
【００３１】
上部および下部成形品は、接合されると、印刷中にそこを通してインクを吐出させるインク吐出スロット１５を現れさせる。キャップ装置５０（好ましくは金属製）は、上部成形品１２に形成された凹部１７に受け入れられる。キャップ装置５０は、キャップ装置５０のキャップ・アーム５２がインク吐出スロット１５をふさぐ位置から、インク吐出が制限されない位置まで移動する。
【００３２】
内部では、プリンター１０は、インク吐出ノズル３１の配列に通じる複数のインク分配流路がその中に配置されているところの印刷ヘッド・モジュール３０を含んでおり、前記インク吐出ノズル３１は、上部成形品１２と下部成形品１１との間に形成されたインク吐出スロット１５と位置合わせされているものである。インク供給カートリッジ３２は、フルカラー印刷に備えて好ましくは４色の、すなわちシアン、マゼンタ、イエローおよびブラックの、着色インクを貯蔵している。代わりに、または加えて、赤外線インクを与えてもよい。インク・カートリッジ３２は、インク用コネクタ３３を通して、印刷ヘッド・モジュール３０のインク分配流路に、インクを供給する。
【００３３】
既知の多くの印刷ヘッド・モジュールおよびインク供給系のうちのいずれもが、本発明とともに使用するのに好適でありえるので、そのような機構のさらなる説明はここでは省略する。本発明とともに用いるのに好適な印刷ヘッド・モジュールおよびインク供給系の詳細は、本出願人の上記同時係属出願の中に見出すことができる。
【００３４】
印刷制御装置３６は、マイクロプロセッサーのメモリー内に格納された画像データを、一連の電気的な「液滴吐出」信号に変換するマイクロプロセッサーを含んでいる。この信号は、印刷動作中に既知の方法で印刷ヘッド・モジュール３０へと伝えられ、インク吐出ノズル３１からインクを選択的に吐出させる。
【００３５】
印刷制御マイクロプロセッサー３６は、ＰＣＢ３１２の回路と通信して、印刷命令やデジタル画像データを受け取る。
【００３６】
プリンター・ユニット１０が携帯電話１００に適切に係合されると、プリンター・ユニットの電源接点（不図示）は携帯電話の電源回路と接続する。
【００３７】
図３に図示されているように、エンドキャップ１３は、インク・カートリッジをそこを通して交換できる開口４７をあらわにするように、プリンター１０から取外し可能である。
【００３８】
印刷を行うためには、ユーザーは、ナビゲーションキー１０２を用いてプリンターに命令し、キャップ装置５０を動かし、下記のように、印刷ヘッド・チップ３０（図４）を印刷媒体に対して露出させる。印刷媒体は、プリンターに貯蔵されたタイプのインクを受け入れるのに好適などんな繊維製品でもよく、とりわけ、紙、厚紙、木、布およびプラスチックが含まれうる。携帯電話１００は、印刷を開始するために（すなわち印刷制御マイクロプロセッサーの制御下で印刷ヘッドからのインクの吐出を開始するために）、ユーザーが押し下げる制御ボタンを含むことができる。代わりに、ユーザーは開始すべき印刷に対して準備ができている、ということの信号として、キャッパー１６の動作を検出してもよい。それからユーザーは、図１に図示されているように、電話機１００を用いて印刷媒体２０を横切る。
【００３９】
印刷速度を制御するために、プリンター１０は、印刷ヘッド・モジュール３０の一端に取り付けられた光学エンコーダー・ホイール３９（図２）を含んでいる。光学エンコーダー・ホイール３９は、上部および下部成形品にそれぞれ形成されたスロット４１ａおよび４１ｂ内に受け入れられ、該成形品から、ホイール３９のリムが媒体滑り面１４と同じ高さとなる位置まで延在している（図４参照）。光学エンコーダー・ホイール３９上の、円周方向に間隔を空けて配置されたマークが、ホイール３９が印刷媒体と接触して回転するときに、マイクロプロセッサー３６上の光学センサーにより読み取られる。
【００４０】
光学センサーは、例えばＬＥＤといった光源と、光検出器とを含んでおり、該光検出器は、その検出器上に入射する光の量に応じて電気的応答を生じるものである。エンコーダー・ホイール３９の光反射特性は、マークの付けられた領域と、マークの付けられていない領域との間で変化し、これにより、マークが検出器を通過して回転するにつれて、検出器の応答の変化が生じる。検出器の応答が変化する周波数により、エンコーダー・ホイールが回転している速度、したがって印刷媒体に対して本電話機が移動している速度の測定値が与えられる。
【００４１】
検出器の応答は、印刷制御マイクロプロセッサー３６に伝えられ、該プロセッサーは、この信号を印刷ヘッド・モジュールが印刷媒体を横切って移動しているところの速度を計算するのに用いるものである。そして印刷制御装置は、液滴吐出制御信号がインク吐出ノズルに送り出される速度と、プリンターの測定された速度とを同期させる。こうして、プリンター１０は、印刷の連続するラインの適切な印刷ドット間隔を確保することができ、これにより、たとえ印刷ヘッドに対して印刷媒体が移動する速度をプリンターが制御しなくても、印刷画像の忠実な再現を作り出すことができる。
【００４２】
さらに、エンコーダー・ホイール３９上のマークの数が十分大きければ、マイクロプロセッサー３６は、ユーザーが印刷媒体を横切ってプリンターを移動させる可能性があるところの速度の変動に素早く適応することができ、これにより高品質の画像が得られる。
【００４３】
アイドラーホイール４４が、プリンターの安定性と方向制御を与えるように、印刷ヘッド・モジュール３０の反対側の端に取り付けられている。アイドラーホイール４４とエンコーダー・ホイール３９とを軸で結合し、各ホイールの回転速度を一致させてもよい。
【００４４】
光学エンコーダー・ホイール３９および／またはアイドラーホイール４４は、ユーザーが印刷ヘッド・モジュール３０の最高動作速度よりも速い速度でプリンターを印刷媒体に沿って移動させることを防止する、摩擦クラッチのような速度リミッターを有していてもよい。さらに、いずれかまたは両方のホイールは、プリンターが印刷方向とは反対の方向に動かされるのを防止するための、爪車のような仕組みを有していてもよい。
【００４５】
示した実施形態においては、デジタル画像データは、外部画像ソースから無線通信ネットワークを介してマイクロプロセッサー３６に与えても、アンテナ３１５およびＰＣＢ３１２を介して受け取ってもよい。
【００４６】
代替として、デジタル画像データは、コンピューターのような外部装置から、携帯電話のケーシングに形成されたＩＲ窓を通して伝えられた赤外線（ＩＲ）信号を用いて受け取ってもよい。そのような実施形態においては、マイクロプロセッサー３６に電気的に接続されたＩＲ受信機が、このデータを受け取り、このデータはそれからプロセッサーのメモリー内に格納される。代替の実施形態においては（不図示）、マイクロプロセッサーは、例えば他の電子機器（例えばコンピューター、スキャナー、複写機、デジタルカメラ等）へのハードワイヤ接続、無線電気通信（例えばＷＡＰ等）といった、任意の他の好適な接続を通して、またはプラグ・ソケット接続もしくはデータ・ポートを通して通信してもよい。また、他の情報（例えば印刷制御命令）を、上記システムを用いて外部装置からプリンターに与えてもよい。さらなる実施形態においては、マイクロプロセッサーは、独自のグラフィックス生成機能を有していてもよい。
【００４７】
例えば、図８に描かれているように、携帯電話１００が内蔵カメラ・モジュールを有していてもよい。この実施形態においては、レンズ４０１が基部成形品３０２に形成されている。レンズ４０１を通過する光は、ＣＣＤアレイに入射する。ＣＣＤアレイは、印刷のために、デジタル画像を印刷制御マイクロプロセッサーへと伝える。カメラ操作キーは、本電話のキーパッド１０２に組み込まれている。
【００４８】
本明細書において記載した実施形態においては、プリンター・ユニット１０は交換可能インク・カートリッジを含んでいる。代替手段として、携帯電話１００には、インク充填システムを用いてインク充填スタンドからインクが再充填される一体型インク・タンクを設けてもよく、そのさらなる詳細は、上記相互参照された本出願人の同時係属出願（代理人事件番号ＡＰ５２およびＡＰ５３）で与えられる。上記のタイプのインク充填システムは、図５および図７に見られるように、プリンター・ユニット１０のインク注入口３２７を利用する。上記のタイプのインク充填システムを用いることによって、プリンター・ユニット１０は、用いないときに必要となるであろうものと同じくらい容易に取り外し可能である必要はなく、なぜなら、プリンター・ユニット１０の取外しは、印刷ヘッドのメンテナンスのために必要とされるのみであるからである。
【００４９】
図１２は、図５の携帯電話１００の横断面である。この図においては、上記相互参照された本出願人の同時係属出願（代理人事件番号ＡＰ４４）に記載されたタイプのキャップ装置５０を示してある。キャップ装置は、キャップ・アーム５２が印刷ヘッド・チップ３０からのインクの吐出を遮るところのキャップ位置から、図示するように印刷ヘッド・チップ３０からのインクの吐出が抑制されないところの非キャップ位置へとキャップ・アーム５２を移動させられるようにして、プリンター・ユニット１０に取り付けられる。
【００５０】
キャップ装置５０をその非キャップ位置へと動かすことは、任意の好適な方法で行うことができ、上記相互参照された本出願人の同時係属出願（代理人事件番号ＡＰ４４）に記載された例の方法が含まれるが、これらには限定されない。例えば、キャップ装置を動かすことは、エンコーダー・ホイール３９、ソレノイド・アクチュエータ、または携帯電話１００のケーシングを通して露出する指操作型の作動装置と連動して動作する摩擦クラッチを用いて、行うことができる。
【００５１】
電話機ケーシング内での印刷ヘッド・モジュールおよびインク・タンクの構成は、電話機の特定のモデルおよびスタイルに適するように変えることができる。前に記載された実施形態では、一体型再充填インク・タンクを備えたサイド・エッジ印刷ヘッドを利用している。
【００５２】
代替の実施形態には、印刷ヘッドが、電話機ケーシングの底側または上側エッジを通して露出し、かつ一体型または交換可能なインク・カートリッジを必要に応じて有している構成が含まれる。
【００５３】
本発明を特に携帯電話に関して説明してきたが、本発明は、他の多くの持ち運び可能な電子装置（無線インターネット・アクセス装置（ＷＩＡＤ）、特に無線アプリケーション・プロトコル（ＷＡＰ）端末、ページャ、携帯情報端末（ＰＤＡ）等が含まれるが、これらには限定されない）における応用にも適していることが、当業者には理解されるであろう。
【００５４】
この発明の特定の実施形態を説明してきたが、本発明は、その不可欠な特徴から逸脱することなく他の具体的な形態で実施できるということが、当業者には明らかであろう。したがってここでの実施形態および実施例は、全ての点で、限定的なものとしてではなく例証のものとして考えられるべきであり、本発明の範囲は前述の説明ではなく添付の特許請求の範囲で示されるものであって、したがって、特許請求の範囲の均等物の意味および範囲内で得られる全ての変更が、本発明に包含されるように意図されている。
【図面の簡単な説明】
【００５５】
【図１】画像を印刷媒体のページ上に印刷している、内蔵プリンター使用中の移動通信装置の斜視図を示している。
【図２】前記移動通信装置において用いられるプリンターの分解斜視図である。
【図３】前記プリンターの上部斜視図である。
【図４】前記プリンターの下側斜視図である。
【図５】内部プリンターを有する携帯電話の前方斜視図である。
【図６】前記携帯電話の後方斜視図である。
【図７】前記携帯電話の分解斜視図である。
【図８】内蔵デジタルカメラを有する携帯電話の背面図である。
【図９】図５の携帯電話の側面図である。
【図１０】図５の携帯電話の背面図である。
【図１１】図５の携帯電話の平面図である。
【図１２】図５の携帯電話の横断面図である。
【図１】
2005517553.tif 000003
【図２】
2005517553.tif 000004
【図３】
2005517553.tif 000005
【図４】
2005517553.tif 000006
【図５】
2005517553.tif 000007
【図６】
2005517553.tif 000008
【図７】
2005517553.tif 000009
【図８】
2005517553.tif 000010
【図９】
2005517553.tif 000011
【図１０】
2005517553.tif 000012
【図１１】
2005517553.tif 000013
【図１２】
2005517553.tif 000014
【手続補正書】
【提出日】平成16年2月4日(2004.2.4)
【手続補正１】
【補正対象書類名】特許請求の範囲
【補正対象項目名】全文
【補正方法】変更
【補正の内容】
【特許請求の範囲】
【請求項１】
ケーシング、表示装置、前記ケーシング内に収容された無線電気通信用回路、および前記ケーシング内に収容されたプリンターを備える移動通信装置であって、
前記プリンターが印刷媒体に対して動かされるにつれて前記印刷媒体上への印刷を実行するようにされ、複数のインク吐出ノズルを含む印刷ヘッド装置と、
インクを貯蔵し、該インクを前記印刷ヘッド装置に供給するようにされたインク供給品と、
前記印刷ヘッド装置が前記印刷媒体に対して動かされる速度を測定し、速度データを生成するようにされた速度センサーと、
（ａ）画像ソースから画像データを受け取るように、
（ｂ）前記画像データを複数の液滴吐出制御信号へと変換するように、
（ｃ）前記速度センサーから前記速度データを受け取るように、かつ、
（ｄ）前記印刷ヘッド装置の前記インク吐出ノズルを、前記速度データを用いて定められた速度で前記液滴吐出制御信号に従って動作させ、それにより前記印刷媒体上への前記画像データの印刷を実行するよう
にされた印刷制御装置と、を備え、
前記速度センサーが、
前記印刷媒体と接触し、前記装置が前記印刷媒体に対して動かされるにつれて回転するようにされた光学エンコーダー・ホイールであり、その上に円周方向に間隔を置いて配置された一連のマークを有する光学エンコーダー・ホイールと、
光学センサーであり、
（ａ）前記光学エンコーダー・ホイールの回転中に前記マークが当該光学センサーを通過するときに前記マークを検出するように、かつ、
（ｂ）前記検出されたマークから前記速度データを生成するように
された前記光学センサーと、を備える、移動通信装置。
【請求項２】
前記インク供給品が、前記プリンターから着脱可能である、請求項１に記載の装置。
【請求項３】
前記キャップ装置が前記インク吐出ノズルからのインクの吐出を実質的に遮るキャップ位置と、前記キャップ装置が前記インク吐出ノズルからのインクの吐出を実質的に遮らない非キャップ位置との間で移動可能であるキャップ装置をさらに備える、請求項１に記載の装置。
【請求項４】
ユーザーが前記印刷媒体に対して前記印刷ヘッド装置を動かすときに前記ユーザーが操作できるように前記装置上に配置されたキャップ作動装置をさらに備える、請求項４に記載の装置。
【請求項５】
前記印刷制御装置が、前記無線電気通信用回路によって前記画像ソースから前記画像データを受け取る、請求項１に記載の装置。
【請求項６】
前記画像データが、無線通信ネットワークから前記無線電気通信用回路で受け取られる、請求項５に記載の装置。
【請求項７】
前記プリンターが、交換可能インク・カートリッジをさらに備える、請求項１に記載の装置。
【請求項８】
前記インク供給品にそこを通して補充することができる１つ以上のインク注入口をさらに備える、請求項１に記載の装置。
【請求項９】
レンズおよびＣＣＤアレイを含むデジタルカメラをさらに備え、前記ＣＣＤアレイにより取り込まれた画像データを前記通信装置の前記表示装置上に表示する、請求項１に記載の装置。
【請求項１０】
前記プリンターが、前記デジタルカメラにより取り込まれた画像を印刷するようにされている、請求項９に記載の装置。
【国際調査報告】
2005517553.tif 000015
2005517553.tif 000016
2005517553.tif 000017